(57)【特許請求の範囲】
【請求項１】
毛髪切断器具のための櫛であって、
ユーザの皮膚に対して保持される櫛表面を規定する第１の櫛部と、
前記第１の櫛部から第１の方向に突出する複数の櫛歯を含む第２の櫛部であって、前記第１の方向が、前記櫛表面に垂直な方向における成分を持ち、前記複数の櫛歯は、第２の方向に互いに間隔を置いて配置され、前記第２の方向が、前記櫛表面に平行である、第２の櫛部と、
第３の方向に延びる１つ又は複数の更なる櫛歯を含む第３の櫛部であって、前記第３の方向が、前記櫛表面に垂直な方向における成分を持ち、前記更なる櫛歯は、前記櫛歯と同じ側の櫛表面に配置され、前記更なる櫛歯が、前記第１及び第２の方向に垂直な方向において、前記櫛歯より前方に延び、及び／又は、前記櫛歯が、前記第１及び第２の方向に垂直な方向において、前記更なる櫛歯より後方に延びる、第３の櫛部とを有し、
前記第２方向における前記更なる櫛歯のそれぞれの幅が、前記櫛歯の間の空間の幅にほぼ等しい、櫛。
【請求項２】
前記更なる櫛歯のそれぞれが、前記複数の櫛歯の間の空間の１つと整列される、請求項１に記載の櫛。
【請求項３】
前記更なる櫛歯が、前記第１及び第２の方向に垂直な方向において、前記櫛歯の前方に配置される、請求項１又は２に記載の櫛。
【請求項４】
前記第１方向及び前記第３方向が平行である、請求項１乃至３のいずれかに記載の櫛。
【請求項５】
前記櫛歯及び前記更なる櫛歯の断面形状が実質的に同じである、請求項１乃至４のいずれかに記載の櫛。
【請求項６】
前記櫛歯及び／又は前記更なる櫛歯が、前記櫛表面に平行な方向に伸びる髪持ち上げ部を有する、請求項１乃至５のいずれかに記載の櫛。
【請求項７】
前記第２の櫛部が、前記第１の櫛部と一体的に形成される、請求項１乃至６のいずれかに記載の櫛。
【請求項８】
前記第３の櫛部が、前記第１及び／又は第２の櫛部に結合可能である、請求項１乃至７のいずれかに記載の櫛。
【請求項９】
前記更なる櫛歯が、前記櫛歯の歯ピッチと等しい歯ピッチを持つ、請求項１乃至８のいずれかに記載の櫛。
【請求項１０】
前記第２の櫛部が、前記櫛歯の遠位端を横切って延びる接続バーを更に有する、請求項１乃至９のいずれかに記載の櫛。
【請求項１１】
前記櫛歯と前記更なる櫛歯のうち前記第２方向において隣接する櫛歯との間のギャップサイズが、０．１ｍｍ以上２．５ｍｍ以下である、請求項１乃至１０のいずれかに記載の櫛。
【請求項１２】
毛髪切断システムであって、
毛髪を切断するための複数の刃を含む毛髪切断器具と、
請求項１乃至１１のいずれかに記載の櫛とを有し、前記櫛が毛髪切断器具に結合可能である、毛髪切断システム。
【請求項１３】
前記毛髪切断器具が、切断刃とガード刃とを有し、
前記切断刃は、前記ガード刃の歯と協働して、前記ガード刃の歯の間で受けた毛を切断する、櫛状の切断要素を含み、
前記櫛歯のピッチが、前記ガード刃の歯のピッチと実質的に同じである、請求項１２に記載の毛髪切断システム。
【請求項１４】
前記毛髪切断器具が、前記櫛歯に対向する壁を持ち、前記第１の方向と平行な成分を持つ方向に延びる本体を有し、
前記毛髪切断器具によりカットされた髪を受けるため、開口部が前記壁に形成され、
前記開口部の前記第１方向における高さが、前記第２の櫛部の前記第１方向における長さとほぼ等しい、請求項１２又は１３に記載の毛髪切断システム。
【発明の詳細な説明】
【技術分野】
【０００１】
本開示は、毛髪切断器具用の櫛に関する。
【背景技術】
【０００２】
毛髪切断器具は、その器具に取り付けられた櫛を含んでいることが多い。櫛は、毛髪切断装置の切断刃に毛髪を導くよう構成された複数の櫛歯を有している。
【発明の概要】
【発明が解決しようとする課題】
【０００３】
毛髪切断器具の中には、毛髪切断器具の切断刃でカットされた毛を集め、カットされた毛が毛髪切断器具からこぼれ落ちて散らかるのを防ぐことを目的としたものがある。
【課題を解決するための手段】
【０００４】
本開示の一態様によれば、毛髪切断器具用の櫛が提供され、この櫛は、
ユーザの皮膚に対して保持される櫛表面を規定する第１の櫛部と、
上記第１の櫛部から第１の方向に突出する複数の櫛歯を含む第２の櫛部であって、上記第１の方向が、上記櫛表面に垂直な方向に成分を持ち、上記複数の櫛歯は、第２の方向に互いに間隔を空けて配置され、上記第２の方向が、上記櫛歯の表面と平行である、第２の櫛部と、
第３の方向に延びる１つ又は複数の更なる櫛歯を含む第３の櫛部であって、上記第３の方向が、上記櫛表面に垂直な方向の成分を持ち、上記更なる櫛歯は、上記櫛歯と同じ側の櫛表面に配置され、上記更なる櫛歯が、第１及び第２の方向に垂直な方向、例えば、毛髪切断方向において、櫛歯よりも前方に延びており、及び／又は、上記櫛歯は、第１及び第２の方向に垂直な方向において、上記更なる櫛歯より後方に延びている、第３の櫛部とを有する。
【０００５】
更なる櫛歯の第２方向における幅は、例えば第２の方向における櫛歯間の空間の幅と等しく、例えばほぼ等しくてもよい。更なる櫛歯の幅は、櫛歯の幅と等しく、例えば、ほぼ等しくてもよい。代替的に、更なる櫛歯の幅は、櫛歯の幅及び／又は櫛歯間の空間とは異なる、例えばより狭い、又はより広いとすることができる。
【０００６】
櫛歯及び更なる櫛歯の配置は、毛髪を保持する櫛の能力を向上させることができる。なぜなら、第２及び第３の櫛部を通って毛髪切断器具に到達する毛髪の通過を制限することなく、櫛歯及び更なる櫛歯が協働して毛髪切断器具から出るカットされた毛髪を捕捉することができるからである。
【０００７】
更に、更なる櫛歯が櫛歯よりも前方に延び、及び／又は、櫛歯が更なる櫛歯よりも後方に延びることから、櫛の毛髪捕捉性能を低下させることなく、櫛の製造性が向上されることができる。特に、櫛歯及び更なる櫛歯を形成するための型の部分のアスペクト比が小さくされることができる。
【０００８】
第２の櫛部は、毛髪切断器具が毛髪切断方向に移動されるときに、毛髪切断器具に向かって毛髪を誘導するためのものであってもよい。
【０００９】
更なる櫛歯は、一対の櫛歯の間に少なくとも部分的に、又は実質的に完全に配置されていてもよい。言い換えれば、１つ又は複数の更なる櫛歯は、第２の方向において隣接する櫛歯の間に少なくとも部分的に配置されてもよいし、実質的に完全に配置されてもよい。
【００１０】
櫛歯の間に更なる櫛歯を配置することは、切断された毛が櫛に接触することなく毛髪切断器具から出る領域を減らすことにより、櫛の毛髪捕捉性能を向上させることができる。
【００１１】
更なる櫛歯のそれぞれは、異なる対の櫛歯の間に配置されてもよい。代替的に、２つ以上の更なる櫛歯が、同じ対の櫛歯の間に少なくとも部分的に配置されていてもよい。
【００１２】
更なる櫛歯のそれぞれは、例えば第２の方向において、複数の櫛歯の間の空間の１つに整列されてよく、例えば少なくとも部分的に整列されていてもよい。更なる櫛歯の数は、複数の櫛歯の間の空間の数と等しくてもよい。
【００１３】
更なる櫛歯は、第１及び第２の方向に直交する方向、例えば毛髪切断器具の毛髪切断方向において、櫛歯の前方に少なくとも部分的に、又は完全に配置されてもよい。例えば、櫛歯及び更なる櫛歯の断面は、例えば、第１方向又は第３方向に垂直な面では、第１方向及び第２方向に垂直な方向には重ならない場合がある。
【００１４】
櫛歯の前方に更なる櫛歯を配置することは、櫛歯及び更なる櫛歯の間の隙間の幅が、毛髪切断器具に到達するために櫛を通る毛髪の通過に影響を与えることなく小さくされることを可能にする。更に、更なる櫛歯を櫛歯よりも前方に配置することは、櫛の製造性を更に高めることができる。特に、それは、櫛歯及び更なる櫛歯が、型（ｍｏｕｌｄ）の異なる要素により及び／又は異なる製造段階で形成されることを可能にする。更なる櫛歯が櫛歯よりも前方に位置するとき、第３の櫛部は、第１及び／又は第２の櫛部とは別の部材に設けられ、これは、第１及び／又は第２の櫛部に結合されることができる。
【００１５】
第１方向及び第３方向は平行であってもよい。言い換えれば、櫛歯及び更なる櫛歯は、互いに平行な方向に延びていてもよい。例えば、櫛歯は、更なる櫛歯に対して５度、又は１０度以下の角度を持つ方向に延びていてもよい。
【００１６】
櫛歯及び更なる櫛歯の断面形状は例えば、第１方向又は第３方向に垂直な平面、又は第１方向及び第３方向に垂直な平面において、実質的に同じであってもよい。例えば、櫛歯及び更なる櫛歯の断面形状は、第１方向及び第２方向に垂直な方向に、櫛歯の前部から櫛歯の後部に向かって厚みが増す三角形又は楔形であってもよく、鋭角又は丸みを帯びた角を有していてもよい。
【００１７】
更なる櫛歯が三角形又は楔形の断面であるとき、櫛から毛髪切断器具への毛髪の通過が改善されることができる。なぜなら、更なる櫛歯が櫛歯及び更なる櫛歯の間の隙間に毛髪を誘導するように作用するからである。
【００１８】
櫛歯及び／又は更なる櫛歯は、櫛表面に平行な方向に前方に延びる髪持ち上げ部を含んでいてもよい。髪持ち上げ部は、櫛が櫛表面に平行な方向、例えば毛髪切断方向に移動されるときに髪の毛を持ち上げるためのものであってもよい。髪持ち上げ部は、櫛歯から櫛の表面に平行な方向に前方に延びるランプ状の要素を有することができる。例えば、櫛歯及び更なる櫛歯の一方が毛髪持ち上げ部を有し、櫛歯及び更なる櫛歯の他方が毛髪持ち上げ部を有しないようにしてもよい。代替的に、櫛歯及び更なる櫛歯の両方が髪持ち上げ部を有してもよい。
【００１９】
第２の櫛部は、第１の櫛部と一体的に形成されていてもよい。第３の櫛部は、第１及び／又は第２の櫛部に結合可能、例えば、着脱可能に結合可能とすることができる。代替的に、第３の櫛部は、第１及び／又は第２の櫛部と一体的に形成されていてもよい。
【００２０】
更なる櫛歯は、櫛歯の歯ピッチと同じ、例えばほぼ同じ歯ピッチを有していてもよい。代替的に、更なる櫛歯の歯ピッチは、櫛歯の歯ピッチとは異なっていてもよく、例えば櫛歯の歯ピッチよりも小さい又は大きいとすることができる。
【００２１】
第２の櫛部は、櫛歯の遠位端を横切って延びる接続バーを更に含んでいてもよい。櫛歯は、接続バーにより、間隔を空けて配置された状態で一緒に結合されることができる。櫛歯は、接続バーにより第１の櫛部に結合されていてもよい。
【００２２】
櫛歯及び更なる櫛歯の間の最小ギャップサイズ、例えば、第１又は第３の方向に垂直な平面における櫛歯及び更なる櫛歯の断面形状の間の最小ギャップサイズは、例えば、第３の櫛部が第２の櫛部に結合されるとき、櫛歯間の空間の幅と等しいか、又はそれよりも大きくてもよい。例えば、最小ギャップサイズは０．１ｍｍ以上であってもよい。最小ギャップ（ｇａｓ）サイズは２．５ｍｍ以下であってもよい。
【００２３】
第２の方向において、更なる櫛歯と隣接する櫛歯との間のギャップサイズは、０．１ｍｍ以上であってもよく、２．５ｍｍ以下であってもよい。
【００２４】
毛髪切断システムは、毛髪を切断するための複数の刃を備えた毛髪切断器具と、前述の櫛とを有し、櫛は、毛髪切断器具に結合可能、例えば、着脱可能に結合可能である。
【００２５】
毛髪切断器具は、切断刃及びガード刃を有することができる。切断刃は、ガード刃の歯と協働して、ガード刃の歯の間で受けた毛をカットする切断要素の櫛を有することができる。櫛歯のピッチは、ガード刃の歯のピッチと等しく、例えば、ほぼ等しくてもよく、これは、櫛が切断要素へと毛を導く能力を向上させ、これにより、毛髪切断システムの毛髪切断性能が向上されることができる。
【００２６】
毛髪切断器具は、本体を有してもよい。刃は例えば、切断刃及びガード刃であり、本体の遠位端から突出していてもよい。毛髪切断器具の本体は、毛髪切断器具によりカット（ｂｕｔ）された毛髪を受け入れるためのチャンバを含んでいてもよい。本体は、櫛歯に対向する壁を有してもよい。壁は、第１の方向と平行な成分を持つ方向に延びていてもよい。
【００２７】
毛髪切断器具により切断された毛髪を受けるために、例えば毛髪収集室への開口部が壁に形成されていてもよい。開口部は、毛髪切断器具の刃に隣接して形成されていてもよい。開口部は、刃から、第１の方向に成分を持つ方向に延びていてもよい。第１方向における開口部の高さ、例えば、第１方向に垂直な平面に投影された開口部の高さは、第１方向における第２櫛部の長さとほぼ等しいか、それ以下であってもよい。
【００２８】
本書では、不必要な労力の重複及び文章の繰り返しを避けるため、特定の特徴は、本発明の１つ又は複数の側面又は実施形態のみに関連して説明されている。しかしながら、技術的に可能であれば、本発明の任意の側面又は実施形態に関連して説明される特徴は、本発明の他の任意の側面又は実施形態にも使用されることができることを理解されたい。
【図面の簡単な説明】
【００２９】
【図１】毛髪切断システムの概略的な側面図である。
【図２】図１に示した毛髪切断システムの切断刃及び櫛の断面図である。
【図３】他の毛髪切断システムの切断刃及び櫛の断面図である。
【図４】毛髪切断器具用の櫛の透視分解図である。
【図５】本開示の別の配置による毛髪切断システムの透視図である。
【発明を実施するための形態】
【００３０】
本発明のより好適な理解のため、及びそれがどのように実現されるかをより明確に示すため、単なる例として、添付の図面が参照される。
【００３１】
図１を参照すると、本開示による毛髪切断システム２は、毛髪切断器具１０と、櫛１００とを備える。
【００３２】
毛髪切断器具１０は、本体１２と、複数の刃１４とを備えている。描かれているように、刃１４は、毛髪切断器具１０の本体１２の遠位端１２ａから突出している。
【００３３】
図２に示すように、刃１４は、切断刃１５とガード刃１６とを有する。切断刃１５は、切断要素の櫛を形成するように配置された複数の切断要素１５ａを有する。切断要素は、ガード刃１６の歯１６ａと協働して、ガード刃の歯１６ａの間で受けた毛を切断する。切断刃１５及びガード刃１６は、毛髪切断器具１０により毛髪が切断される切断面１８を規定する。
【００３４】
毛髪切断システム２の使用において、毛髪切断器具１０は、毛髪切断方向４にユーザの皮膚上を移動される。その結果、ユーザの毛髪が刃１４と接触し、ガード刃の歯１６ａの間で受け止められる。受けられた毛髪は、図１に描かれているように、切断面１８で切断される。
【００３５】
図１及び図２に示すように、櫛１００は、毛髪切断器具１０に結合可能、例えば着脱可能に結合可能である。櫛１００は、第１の櫛部１１０及び第２の櫛部１２０を有する。図１に示す配置では、櫛１００は、第１の櫛部１１０で毛髪切断器具１０の本体１２に結合される。他の配置では、櫛１００は、第２の櫛部１２０又は櫛の更なる部分で毛髪切断器具に結合されてもよい。
【００３６】
第１の櫛部１１０は、毛髪切断器具の使用中にユーザの皮膚に対して配置される櫛表面１１２を有する。いくつかの配置では、毛髪切断器具１０により毛髪が切断される長さを調整するために、刃１４に対する櫛表面１１２の位置は選択的に調整可能とすることができる。
【００３７】
第２の櫛部１２０は、毛を持ち上げて支持するよう構成された複数の櫛歯１２２を含んでおり、毛髪切断システム２の使用時に毛髪切断器具１０の刃１４に向かって毛髪を誘導する。櫛歯１２２は、例えば櫛表面１１２から、第１の方向Ｄ１に延びており、この方向は、櫛１００が毛髪切断器具１０に結合されるときに、刃１４により規定される切断面１８に対して垂直、例えば８０度から１００度の間とすることができる。第１方向Ｄ１は、櫛表面１１２に垂直な方向に成分を持つ。
【００３８】
櫛歯１２２は、櫛１００の横方向の幅にわたって互いに間隔をあけて配置される。より詳細には、櫛歯１２２は、第２の方向Ｄ２に互いに離間しており、第２の方向は、櫛表面１１２に平行である。
【００３９】
図１に描かれているように、第２の櫛部１２０は、第１の櫛部１１０と一体的に形成されていてもよい。他の配置では、第２の櫛部１２０は、第１の櫛部１１０に移動可能及び／又は着脱可能に結合されていてもよい。
【００４０】
櫛１００は、櫛歯１２２が毛髪切断方向４において毛髪切断器具１０の刃１４よりも前方に配置されるように、毛髪切断器具１０に結合される。
【００４１】
第２櫛部１２０は、側壁１２４を更に備えている。図２に示すように、側壁１２４は、複数の櫛歯１２２から櫛歯１２２の横方向のいずれかに、例えば第２の方向Ｄ２において間隔をあけて配置される。側壁１２４は、櫛歯１２２内で、櫛表面１１２に平行で第２の方向Ｄ２に垂直な成分を持つ第４の方向Ｄ４において、少なくとも部分的に整列される。例えば、第４の方向Ｄ４は、毛髪切断面１８及び／又は毛髪切断方向４と平行であってもよい。
【００４２】
側壁１２４は、第１方向Ｄ１に延びている。例えば、側壁１２４は、第１方向Ｄ１において、第１方向Ｄ１における櫛歯１２２の長さ以上の距離分延びていてもよい。図１に示すように、側壁１２４は、第１方向Ｄ１において櫛歯と整列されていてもよい。言い換えれば、側壁は、第１の方向において櫛歯１２２と重なっていてもよく、例えば完全に重なっていてもよい。
【００４３】
櫛１００は、櫛歯１２２の遠位端を横切って延びる接続バー１２６を更に含んでいてもよい。櫛歯は、櫛歯の遠位端で接続バー１２６に結合されてもよい。追加的又は代替的に、接続バー１２６は、第２の櫛部１２０の側壁１２４に結合されてもよく、側壁の間で櫛の第２の櫛部１２０を横切って延びてもよい。接続バー１２６は、櫛歯１２２の剛性を向上させることができる。
【００４４】
櫛歯１２２は、接続バー１２６により、例えば間隔を空けた配置で一緒に結合されてもよい。いくつかの配置では、櫛歯１２２は、接続バー１２６及び側壁１２４を介して第１の櫛部１１０に結合されてもよい。追加的又は代替的に、櫛歯１２２は例えば、櫛歯１２２の近位端で、第１の櫛部１１０に結合されてもよい。
【００４５】
櫛１００は更に、第３の櫛部１３０を備えている。第３の櫛部１３０は、複数の更なる櫛歯１３２を有する。更なる櫛歯１３２は、櫛１００の横方向の幅にわたって、例えば第２の方向Ｄ２において、互いに間隔を空けて配置される。更なる櫛歯１３２の歯ピッチは、櫛歯１２２の歯ピッチと同じであってもよい。代替的に、更なる櫛歯の歯ピッチは、櫛歯１２２の歯ピッチとは異なっていてもよく、例えば、櫛歯１２２の歯ピッチよりも大きい、又は小さいとすることができる。
【００４６】
図２及び図３に示すように、櫛歯及び／又は更なる櫛歯の歯ピッチは、ガード刃１６の歯１６ａのピッチとほぼ等しくてもよい。例えば、歯の数は、毛髪切断器具１０の幅にわたって、３歯未満、又は２歯未満で変化してもよい。ある配置では、櫛歯の歯のピッチは、ガード刃１６の歯１６ａのピッチとほぼ等しく、更なる櫛歯の歯のピッチは、ガード刃１６の歯１６ａのピッチとは異なる、例えば、より小さい。
【００４７】
更なる櫛歯１３２は例えば、櫛歯の長手方向の端部の間で、第３の方向Ｄ３に延びている。第３方向Ｄ３は、櫛表面に垂直な方向の成分を持つ。第３の方向Ｄ３は、櫛１００が毛髪切断器具１０に結合されるときに、刃１４により規定される切断面１８に対して垂直、例えば８０度から１００度の間であってもよい。図１及び図２に示す配置では、第３の方向Ｄ３は、第１の方向Ｄ１と平行であり、例えば５度以下の角度である。
【００４８】
図２及び図３に示すように、更なる櫛歯１３２は、第４の方向Ｄ４（第１及び第３の方向Ｄ１、Ｄ３に直交する方向）において、櫛歯１２２よりも更に前方に延びている。追加的又は代替的に、櫛歯１２２は、第４の方向Ｄ４において、更なる櫛歯１３２よりも後方に延びていてもよい。
【００４９】
図２に示すように、更なる櫛歯１３２は、第４の方向Ｄ４において櫛歯１２２の前方に位置していてもよい。言い換えれば、例えば図２に描かれているように第１方向又は第３方向に垂直な平面における、櫛歯１２２及び更なる櫛歯１３２の断面は、第４方向Ｄ４において、例えば更なる櫛歯１３２の長さに沿ったどの位置においても重ならないことがある。
【００５０】
代替的に、図３に描かれているように、櫛歯１２２及び更なる櫛歯１３２は、第４方向Ｄ４において部分的に重なっていてもよい。
【００５１】
図２に示すように、更なる櫛歯１３２の断面形状は、三角形又は楔形であってもよい。言い換えれば、断面形状の幅は、例えば第４の方向において、更なる櫛歯１３２の前部で又はそれに向かって、更なる櫛歯１３２の後部で又はそれに向かってよりも狭くなっていてもよい。
【００５２】
櫛歯１２２の、例えば第１の方向Ｄ１に垂直な平面における断面形状は、更なる櫛歯の、例えば第１の方向Ｄ１又は第３の方向Ｄ３に垂直な平面における断面形状と実質的に同じであってもよい。代替的に、図３に示すように、櫛歯１２２の断面形状は、更なる櫛歯１３２の断面形状と異なっていてもよい。
【００５３】
更なる櫛歯１３２は、例えば第２の方向Ｄ２において、櫛歯１２２の間の空間と例えば少なくとも部分的に整列されてもよい。更なる櫛歯１３２の、例えば第２の方向Ｄ２における幅は、櫛歯の間の空間の幅と実質的に等しくてもよい。代替的に、更なる櫛歯１３２の幅は、櫛歯とは異なっていてもよく、例えば、櫛歯よりも広く又は狭くすることができる。
【００５４】
更なる櫛歯１３２の形状及びサイズ、例えば幅は、第２方向Ｄ２において、櫛歯と、更なる櫛歯の隣接する１つ又は複数の櫛歯との間のギャップのサイズが０．１ｍｍ以上になるよう構成されてもよい。ギャップのサイズは２．５ｍｍ以下でもよい。
【００５５】
いくつかの配置では、更なる櫛歯１３２の形状及びサイズ、例えば、幅は、櫛歯１２２と更なる櫛歯との間の最小ギャップサイズ、例えば、特定の櫛歯とその特定の櫛歯に隣接する更なる櫛歯との間の最短距離が、櫛歯１２２の間の空間の幅よりも大きいか、又は等しいよう構成されてもよい。追加的又は代替的に、最小ギャップサイズは、０．１ｍｍ以上、及び／又は２．５ｍｍ以下であってもよい。
【００５６】
図２及び図３に示すように、第２の櫛部の側壁１２４は、第４の方向Ｄ４において櫛歯１２２の前方に延びていてもよく、第４の方向Ｄ４において更なる櫛歯１３２の前方に延びていてもよい。更に、側壁１２４は、第４方向Ｄ４において櫛歯１２２の後方に延びていてもよい。いくつかの配置では、側壁１２４は、櫛歯１２２の最も後方の範囲、又は更に後方の範囲から、第４の方向Ｄ４において更なる櫛歯１３２の最も前方の範囲まで、又はそれよりも前方に延びていてもよい。接続バー１２６の第４方向Ｄ４における幅は、側壁１２４の第４方向Ｄ４における幅と等しくてもよい。
【００５７】
毛髪切断システム２は、毛髪切断器具１０により切断された毛髪を捕捉することで、毛髪のトリミング時に生じる散乱（ｍｅｓｓ）を軽減するよう構成されていてもよい。
【００５８】
毛を切断する際に、毛の一部が毛髪切断方向４において刃１４から前方に突出することがある。図２に描かれているように、刃１４から離れる切断毛は、切断方向４に前方成分を持つ軌道ｔ１、ｔ２、ｔ３、ｔ４、ｔ５をたどることができる。図示されるように、刃１４から前方に突出した毛の一部は、櫛歯１２２の間の空間を通過し、更なる櫛歯１３２に衝突する可能性がある。更なる櫛歯１３２に衝突した毛は、後述するように、毛髪切断器具１０に向かって後方に偏向されて、毛髪切断システム２により保持されてもよい。
【００５９】
前方に飛び出た毛の一部は、側壁１２４と衝突するか、又は側壁１２４へと偏向される。側壁は、毛を捕捉するか、又は毛髪切断器具１０の方へ毛を偏向させることができる。同様に、毛の一部が接続バー１２６と衝突するか、又はこれへと偏向される。接続バー１２６は、毛を捕捉するか、又は毛髪切断器具１０の方に毛を偏向させる。
【００６０】
図１、図２、及び図３に示す配置では、第３櫛部１３０は、第２櫛部１２０と一体的に形成される。しかしながら、図４に描かれているように、他の配置では、第３の櫛部１３０は、第１及び／又は第２の櫛部１１０、１２０に着脱可能に結合されてもよい。図示されるように、第３の櫛部１３０は、第２の櫛部１２０の対応する結合部１２７に結合するよう構成された結合部１３４を含んでいてもよい。
【００６１】
図４に示すように、第２の櫛部１２０は、櫛歯１２２から櫛表面に平行な方向、例えば毛髪切断方向４に前方に延びる毛髪持ち上げ部１２８を更に含んでいてもよい。毛髪持ち上げ部１２８は、先端が尖ったランプ状の突起を有し、櫛歯１２２に向かって、櫛表面１１２に垂直な方向、例えば毛髪切断方向において高さが増加するものであってもよい。毛髪切断システム２の使用において、毛髪持ち上げ部１２８の尖った先端は、皮膚の表面近くに横たわっている毛髪の下に移動されることができ、櫛が毛髪切断方向４において前方に移動する際に毛髪が持ち上げられ、毛髪は毛髪持ち上げ部１２８の傾斜した形状の上に乗り上げる。髪持ち上げ部１２８は、毛髪切断システムの使用中に髪の毛を持ち上げるように作用し、その結果、髪の毛が刃１４によりより簡単に切断される。
【００６２】
図４に示す配置では、髪持ち上げ部１２８は、櫛歯１２２から突出する第２の櫛部１２０に形成される。しかしながら、他の配置では、髪持ち上げ部が、追加的又は代替的に、例えば、更なる櫛歯１３２から突出するように、第３の櫛部１３０に形成されてもよい。例えば、更なる櫛歯１３２が第４方向の櫛歯よりも更に前方に延びている場合、髪持ち上げ部は第３櫛部１３０に形成されてもよい。
【００６３】
図４に示す配置では、櫛歯１２２は、櫛歯の近位端で第１の櫛部に接続されていない。その結果、第１の櫛部１１０と櫛歯１２２との間に、例えば櫛表面１１２に隙間１１５が形成される。隙間１１５は、櫛１００が毛髪切断器具に結合されるとき、毛髪切断器具１０の刃１４が櫛表面１１２の近くに配置されることを可能にする。その結果、髪が短い長さにカットされることができる。しかしながら、他の配置では、隙間が提供されない場合もある。例えば、櫛歯１２２は、櫛歯の近位端で第１の櫛部１１０に結合されてもよい。
【００６４】
図５を参照すると、刃１４により切断される毛を受けるために、毛髪切断器具の本体１２内に毛髪収集室１７が形成されてもよい。毛髪収集室１７への開口部２０は、毛髪切断器具の本体１２の前壁１３に形成されていてもよい。前壁１３は、櫛歯１２２に対向して配置され、櫛１００が毛髪切断器具１０に結合されるときに櫛歯１２２に対向する。
【００６５】
描かれているように、開口部２０は、毛髪切断器具１０の本体１２の遠位端１２ａまで延びていてもよい。その結果、刃１４の少なくとも一部が開口部２０を介して本体１２から（ｆｏｒｍ）突出する。代替的に、開口部２０は、毛髪切断器具の刃１４に隣接して、例えば、直接隣接して形成されてもよい。開口部の高さＨ１は、刃１４により切断された毛の全て、例えば８５％以上、９０％以上、又は９５％以上を毛髪収集室１７へと通過させるのに十分な大きさであってもよい。
【００６６】
上述したように、切断された毛は、最初は刃１４から前方に突き出され、櫛１００により毛髪切断器具１０の方に偏向されることができる。従って、開口部２０の高さＨ１は、櫛１００により偏向された毛が毛髪収集室１７へと通過することを可能にするよう十分な大きさにしてもよい。特に、開口部の、例えば切断面１８からの高さＨ１は、第１方向Ｄ１における櫛歯１２２又は第２櫛部１２０の長さにほぼ等しくてもよい。
【００６７】
毛髪切断器具１０は、開口部２０を通って毛髪収集室１７に空気を吸引するよう構成されたファン又はポンプ６を更に含んでいてもよい。毛髪収集室１７に空気を引き込むことは、切断された毛が毛髪収集室１７に入ることを促すことができる。ファン６により吸い込まれた空気が毛髪収集室１７から出るように、本体１２に１つ又は複数の通気孔８が形成されていてもよい。代替的に、ファン又はポンプ６及び通気孔８は省略されることもできる。
【００６８】
図５に示す配置では、毛髪収集室１７及び開口部２０を持つ毛髪切断器具１０が、複数の更なる櫛歯１３２を持つ櫛１００とともに示される。しかしながら、上述した毛髪収集室１７及び開口部２０は、任意の毛髪切断器具１０に設けられてもよく、第３の櫛部又は更なる櫛歯を持たない櫛で使用するための毛髪切断器具も含まれる。
【００６９】
本発明が１つ又は複数の例示的な実施例を参照して例示的に説明されてきたが、本発明は開示された実施例に限定されるものではなく、添付の特許請求の範囲により規定される本発明の範囲を逸脱することなく、代替的な実施例が構築されることができることは、当業者には理解されるであろう。
【要約】
毛髪切断器具１０のための櫛１００が提供される。櫛は、ユーザの皮膚に対して保持される櫛表面１１２を規定する第１の櫛部１１０と、第１の櫛部から第１の方向Ｄ１に突出する複数の櫛歯１２２を含む第２の櫛部１２０であって、上記第１の方向が、上記櫛表面に垂直な方向に成分を持ち、上記複数の櫛歯は、第２の方向Ｄ２に互いに間隔を空けて配置され上記第２の方向が、上記櫛表面に平行である、第２の櫛部と、第３の方向Ｄ３に延びる１つ又は複数の更なる櫛歯１３２を含む第３の櫛部１３０であって、上記第３の方向が、上記櫛表面に垂直な方向の成分を持ち、上記更なる櫛歯は、上記櫛歯と同じ側の櫛表面に配置され、上記更なる櫛歯が、第１及び第２の方向に垂直な方向Ｄ４において、上記櫛歯よりも前方に延びており、及び／又は、上記櫛歯が、第１及び第２の方向に垂直な方向において、上記更なる櫛歯よりも後方に延びており、上記各更なる櫛歯の第２の方向における幅が、上記櫛歯の間の空間の幅にほぼ等しい、第３の櫛部とを有する。【図１】
0006982223.tif 000002
【図２】
0006982223.tif 000003
【図３】
0006982223.tif 000004
【図４】
0006982223.tif 000005
【図５】
0006982223.tif 000006